(57)【特許請求の範囲】
【請求項１】
包装される物品を載置する下部受体と、
前記物品を介して該下部受体と対向する上部受板と、
前記下部受体及び前記上部受板を格納する直方体の箱とを備える段ボール製の包装箱において、
該箱は、該箱の両側に設けられた一対の側壁の上側縁に連設される一対の上部支持体と、
前記一対の側壁に挟まれた他の側壁に連設される蓋を有し、
前記各上部支持体は、前記一対の側壁の上側縁に設けられた第１折れ線を介して箱の内方に折り曲げられた第１上部支持板と、
該各第１上部支持板の先端縁に第２折れ線を介して連設され前記第１上部支持板に対して上向き外方に折り曲げられた第２上部支持板とを有し、
前記下部受体は、前記箱に格納された状態で前記箱の底壁と平行に配設されると共に、切り込みによって形成された切り込み部を複数設けた下部底板と、
前記各切り込み部の内側に形成された立上り片と、
前記下部底板の左右両側の夫々に第３折れ線を介して連設され該下部底板に対して下向き内方に折り曲げられた一対の第１下部支持板と、
各第１下部支持板の先端縁に第４折れ線を介して連設され該第１下部支持板に対して外方に折り曲げられた第２下部支持板とを有し、
前記上部受板は、前記立上り片に対応して形成された上部挿通穴を有し、
前記各立上り片は物品の外側で対応する前記上部挿通穴に挿通され、
前記下部受体と前記上部受板が前記箱に格納されて、前記箱が閉蓋されたとき、前記第２下部支持板が前記底壁に当接されると共に、前記第１下部支持板と前記第２下部支持板とにより前記下部受体が弾発的に支持され、前記蓋と前記上部受板との間に前記上部支持体が介在して前記第１上部支持板と前記第２上部支持板とにより前記上部受板が弾発的に支持されることを特徴とする段ボール製の包装箱。
【請求項２】
前記下部底板及び上部受板は前記箱の形状に対応した矩形からなることを特徴とする請求項１記載の段ボール製の包装箱。
【請求項３】
前記第２上部支持板と前記第２下部支持板とは交差し若しくは対向することを特徴とする請求項１又は２記載の段ボール製の包装箱。
【発明の詳細な説明】
【技術分野】
【０００１】
本発明は、段ボール製の包装箱に関する。
【背景技術】
【０００２】
従来、緩衝作用を有する包装箱が知られている。包装箱としては、段ボール製シートを折り込み、組み立てた段ボール箱に緩衝作用を有する部材を格納した包装箱が提案されている（特許文献１参照）。
【０００３】
これによれば、特許文献１に記載された発明は、平板からなる受板の両端を下側内方へ折り曲げて脚板を形成した下側受体と、平板からなる受板の両端を上側内方へ折り曲げて脚板を形成した上側受体とを備え、被包装体たる物品を下側受体に載置すると共に、被包装体上に上側受体を載せて構成されている。そして、下側受体の脚部が箱板の底壁に設置され、上側受体の脚部が箱板の蓋に当接されている。そのため、下側受体及び上側受体の脚部と受板との折り曲げによる弾力で物品が弾力的に保持され、物品に掛かる衝撃を抑制することができる。
【先行技術文献】
【特許文献】
【０００４】
【特許文献１】特開２００７−１９１２０４号公報
【発明の概要】
【発明が解決しようとする課題】
【０００５】
ところで、特許文献１に記載された包装箱では、下側受体及び上側受体の折り曲げが１箇所であるため、衝撃を十分に抑制することができない場合がある。また、特許文献１に記載された包装箱では、物品の横方向の移動を抑制する構造が設けられていないため、物品が受板上を横方向に移動することについて抑制することができない。そのため、より強い衝撃であっても物品に伝達される衝撃を十分に抑制することができ、かつ物品が横方向に移動することを抑制することのできる包装箱が待たれていた。
【０００６】
本発明は、上記の点に鑑み、包装される物品に伝達される衝撃を十分に抑制することのできる構造の段ボール製の包装箱を提供することを目的とする。
【課題を解決するための手段】
【０００７】
本発明は、包装される物品を載置する下部受体と、物品を介して下部受体と対向する上部受板と、下部受体及び上部受板を格納する直方体の箱とを備える段ボール製包装箱において、箱は、箱の両側に設けられた一対の側壁の上側縁に連設される一対の上部支持体と、一対の側壁に挟まれた他の側壁に連設される蓋を有し、各上部支持体は、一対の側壁の上側縁に設けられた第１折れ線を介して箱の内方に折り曲げられた第１上部支持板と、各第１上部支持板の先端縁に第２折れ線を介して連設され第１上部支持板に対して上向き外方に折り曲げられた第２上部支持板とを有し、下部受体は、箱に格納された状態で箱の底壁と平行に配設されると共に、切り込みによって形成された切り込み部を複数設けた下部底板と、各切り込み部の内側に形成された立上り片と、下部底板の左右両側の夫々に第３折れ線を介して連設され下部底板に対して下向き内方に折り曲げられた一対の第１下部支持板と、各第１下部支持板の先端縁に第４折れ線を介して連設され第１下部支持板に対して外方に折り曲げられた第２下部支持板とを有し、上部受板は、立上り片に対応して形成された上部挿通穴を有し、各立上り片は物品の外側で対応する上部挿通穴に挿通され、下部受体と上部受板が箱に格納されて、箱が閉蓋されたとき、第２下部支持板が底壁に当接されると共に、第１下部支持板と第２下部支持板とにより下部受体が弾力的に支持され、蓋と上部受板との間に上部支持体が介在して第１上部支持板と第２上部支持板とにより上部受板が弾発的に支持されることを特徴とする。
【０００８】
本発明によれば、下部受体に物品が載置された状態で、下部底板に形成された各立上がり片が物品の外側で上部受板に形成された上部挿通穴に挿通されるため、物品を上部受板と下部底板との間に固定することができると共に、物品に力が伝達されるのを抑制することができる。
【０００９】
また、箱が閉蓋されたときに、物品を載置する下部受体は第１下部支持板と第２下部支持板とにより弾発的に支持されている。これにより、下部底板と第１下部支持板との連設部分と、第１下部支持板と第２下部支持板との連設部分とがバネ機能を有し、底壁から下部底板に伝達される力が緩衝される。
【００１０】
また、箱が閉蓋されたときに、蓋と上部受板との間に上部支持体が介在して第１上部支持板と第２上部支持板とにより上部受板が弾発的に支持されている。これにより、上部受板と第１上部支持板との当設部分と、第１上部支持板と第２上部支持板との連設部分とがバネ機能を有し、蓋から上部受板に伝達される力が緩衝される。
【００１１】
また、下部底板及び上部受板は箱の形状に対応した矩形からなることが好ましい。これにより、直方体からなる箱の底壁から下部底板に伝達される力と蓋から上部底板に伝達される力とを抑制する包装箱の陳列が容易となる。
【００１２】
また、第２上部支持板と第２下部支持板とは交差し若しくは対向する位置に配置されてもよい。これにより、下部受体の向きを考慮することなく格納することができる。
【図面の簡単な説明】
【００１３】
【図１】第１実施形態のダンボール製の包装箱を示す斜視図。
【図２】第１実施形態の箱体の展開図。
【図３】（ａ）は、第１実施形態の下部受体の展開図、（ｂ）は第１実施形態の上部受板の平面図。
【図４】図１のＩＶ−ＩＶ線に沿った断面図。
【図５】第１実施形態の分解斜視図。
【図６】第２実施形態の分解斜視図。
【発明を実施するための形態】
【００１４】
本発明の第１実施形態を図面に基づいて説明する。図１に示すように、本発明の第１実施形態の包装箱１は、上部に開閉自在な蓋２を有する直方体の箱３と、箱３に格納可能な下部受体４及び上部受板５とを備える。また、箱３は、蓋２と連設される側壁６ａと、側壁６ａの両側と隣接する側壁６ｂと、側壁６ａと対向する側壁６ｃとを有する。箱３と下部受体４と上部受板５は、各々１枚の段ボールシートから形成される。
【００１５】
箱３は、図２に展開して示すように、矩形の底板１０の上下側縁の夫々には、第１折目線ａを介して一対の第１側板１１が連設されている。各第１側板１１の先端縁には、第１折れ線である第２折目線ｂを介して一対の第１上部支持板１２が連設されている。各第１上部支持板１２の先端縁には、第２折れ線である第１ミシン目線ｃを介して一対の第２上部支持板１３が連設されている。また、底板１０を板厚方向に貫通する２個の第１挿通穴１４ａ、１４ｂが底板１０の右側縁に設けられた第３折目線ｄに沿って形成されている。また、各第１側板１１の右側縁には、第４折目線ｅを介して一対の第１係合片１５が連設されている。
【００１６】
底板１０の右側縁には、第３折目線ｄを介して第２側板２１が連設されている。第２側板２１の先端縁には、第５折目線ｆを介して第１延在板２２が連設されている。第１延在板２２の先端縁には、第６折目線ｇを介して第３側板２３が連設されている。第３側板２３の先端縁には２個の第１突起２４ａ、２４ｂが設けられている。また、第３側板２３と第１延在板２２とを板厚方向に貫通する第２挿通穴２５が第６折目線ｇに沿って形成されている。
【００１７】
底板１０の左側縁には、第７折目線ｈを介して第４側板３１が連設されている。第４側板３１の先端縁には、第８折目線ｉを介して上板３２が連設されている。上板３２の先端縁には、第９折目線ｊを介して第２係合片３３が連設されている。この上板３２と第３係合片３３が蓋２を構成する。
【００１８】
下部受体４は、図３（ａ）に展開して示すように、矩形の下部底板４１の左右側縁には、第３折れ線である第１０折目線ｋを介して一対の第１下部支持板４２が連設されている。各第１下部支持板４２の先端縁には、第４折れ線である第２ミシン目線ｌを介して一対の第２下部支持板４３が連設されている。
【００１９】
下部底板４１には切り込みによって形成された切り込み部４４が下部底板４１の対角線に沿って４箇所形成され、この切り込み部４４は下部底板４１の中央部から周側へコ字形に形成されている。各切り込み部４４の内側には、切り込みのない端部を基端部４５ａとして上向きに立設可能な立上がり片４５が形成されている。立上がり片４５の基端部４５ａは、２点鎖線ｍで示す物品Ｗの外周上に沿って形成されている。
【００２０】
上部受板５は、図３（ｂ）に示すように、矩形に形成されている。上部受板５には、下部底板４１に形成された立上がり片４５に対応した上部挿通穴である第３挿通穴５１が上部受板５の対角線に沿って物品Ｗの外周上に４箇所形成されている。
【００２１】
次に、箱３の組み立てについて説明する。第３折目線ｄと第５折目線ｆと第６折目線ｇとは同一方向に折り曲げられ、各第１係合片１５が第２側板２１と第３側板２３に挟まれる。第３側板２３に設けられた第１突起２４ａ、２４ｂは、対応する第１挿通穴１４ａ、１４ｂに挿通されて、各第１突起２４ａ、２４ｂと第１挿通穴１４ａ、１４ｂとが係合されることにより、側壁６ｃが形成される。
【００２２】
また、この側壁６ｃと対向する側壁６ａは、第７折目線ｈを介して第４側板３１を折り曲げることにより形成される。側壁６ａ及び６ｃと隣接する側壁６ｂは、第１折目線ａを介して第１側板１１を折り曲げることにより形成される。そして、各第１折目線ａと各第２折目線ｂとは同一方向に折り曲げられ、各第２折目線ｂと各第１ミシン目線ｃとは反対方向に折り曲げられて、図５に示すように第１上部支持板１２と第２上部支持板１３とからなる上部支持体６０が形成される。第１上部支持板１２は第２折目線ｂを介して箱３の内方に折り曲げられ、第２上部支持板１３は第１上部支持板１２に対して上向き外方に折り曲げられる。また、上部支持体６０は、側壁６ｂの上側縁に連設されている。また、底板１０が底壁に該当する。
【００２３】
下部受体４は、図３（ａ）に示す一枚の段ボールシートから第１０折目線ｋを折り曲げて一対の第１下部支持板４２を下部底板４１に対して下向き内方に折り曲げると共に、第２ミシン目線ｌを折り曲げて一対の第２下部支持板４３を第１下部支持板４２に対して外方に折り曲げて形成される。また、４つの立上がり片４５は、切り込みのない端部を基端部４５ａとして上向きに立設される。
【００２４】
箱３に下部受体４と物品Ｗと上部受板５とを格納するときには、先ず図４と図５に示すように、下部受体４の下部底板４１に物品Ｗが載置され、この物品Ｗを介して下部受体４と対向する上部受板５が物品Ｗの上部に載置される。
【００２５】
次いで、下部受体４の立上がり片４５が上部受板５に形成された第３挿通穴５１に挿通される。第３挿通穴５１に挿通されている４つの立上がり片４５は、物品Ｗの外側に形成されている。本実施形態では、下部受体４の第２下部支持板４３と上部支持体６０の第２上部支持板１３とは互いに対向するように格納されている。
【００２６】
物品Ｗの外側で各立上がり片４５が挿通されている状態で、下部受体４と物品Ｗと上部受板５とが箱３に格納される。このとき、第２下部支持板４３は底板１０に当接され、下部受体４の下部底板４１が底板１０に平行となるように、下部受体４が底板１０に配設される。そのため、下部受体４が第１下部支持板４２と第２下部支持板４３とにより弾発的に支持される。
【００２７】
また、第１実施形態では、第２下部支持板４３は側壁６ｂと平行となるよう箱３に挿入される。その後、第２係合片３３が第２挿通穴２５に挿通されて、第２係合片３３と第２挿通穴２５とが係合されることで、蓋２が閉まる。蓋２が閉まり、箱３が閉蓋されることにより、第２上部支持板１３が蓋２と当接し、第１上部支持板１２が上部受板５と当接する。そのため、上部受板５が第１上部支持板１２と第２上部支持板１３とにより弾発的に支持される。
【００２８】
次に、本発明の第２実施形態を図６に基づいて説明する。なお、第２実施形態の箱３と下部受体４と上部受板５は第１実施形態と同一の構成であり、第１下部支持板４２と第２下部支持板４３の向きが第１実施形態と第２実施形態とで異なるため、第１実施形態と同じ構成要素には同じ符号を付してその説明を省略する。
【００２９】
箱３に下部受体４と物品Ｗと上部受板５とを格納するときには、図６に示すように、下部受体４の第２下部支持板４３と上部支持体６０の第２上部支持板１３とは互いに交差するように格納されている。
【００３０】
そして、物品Ｗの外側で各立上がり片４５が挿通されている状態で、下部受体４と物品Ｗと上部受板５とが箱３に格納されて、第２下部支持板４３が底板１０に当接される。このとき、第２下部支持板４３は側壁６ｃと平行となるよう箱３に挿入される。その後、上板３２が閉まることにより、包装が完了する。
【００３１】
こうして、下部受体４と上部受板５とが箱に格納されたときに、底板１０に対して第２下部支持板４３が弾発的に支持されると共に、第１下部支持板４２が第２下部支持板４３に対し弾発的に支持されている。そのため、下部底板４１と第１下部支持板４２との連設部分と、第１下部支持板４２と第２下部支持板４３との連設部分とがバネ機能を有し、底板１０から下部底板４１に伝達される力が緩衝される。
【００３２】
また、下部受体４と上部受板５とが箱３に格納されて、上板３２が閉じられたときに、上板３２に対して第２上部支持板１３が弾発的に支持されると共に、第１上部支持板１２が第２上部支持板１３に対し弾発的に支持され、第１上部支持板１２が上部受板５と当接されている。そのため、上部受板５と第１上部支持板１２との当接部分と、第１上部支持板１２と第２上部支持板１３との連設部分とがバネ機能を有し、上板３２から上部底板５１に伝達される力が緩衝される。
【００３３】
さらに、下部底板４１に物品Ｗが載置された状態で、下部底板４１に形成された各立上がり片４５が物品Ｗの外側で上部底板５に形成された第３挿通穴５１に挿通されている。そのため、物品Ｗを上部受板５と下部底板４１との間に固定することができると共に、物品Ｗに力が伝達されるのを抑制することができる。
【００３４】
以上のように、この発明に係る段ボール製の包装箱によれば、第２下部支持板４３は底壁１０に対し弾発的に支持され、第１下部支持板４２は第２下部支持板４３に対し弾発的に支持されている。また、第２上部支持板１３は蓋２に対し弾発的に支持され、第１上部支持板１２は上部受板５に対し弾発的に支持されている。そのため、下部底板４１と第１下部支持板４２との連設部分と、第１下部支持板４２と第２下部支持板４３との連設部分と、上部底板５と第１上部支持板１２との当接部分と、第１上部支持板１２と第２上部支持板１３との連設部分とがバネ機能を有し、物品に伝達される力が緩衝される。
【符号の説明】
【００３５】
１…包装箱、２…蓋、３…箱、４…下部受体、５…上部受板、６ａ、６ｂ、６ｃ…側壁、１０…底板（底壁）、１２…第１上部支持板、１３…第２上部支持板、４１…下部底板、４２…第１下部支持板、４３…第２下部支持板、４４…切り込み部、４５…立上り片、５１…上部挿通穴（第４挿通穴）、６０…上部支持体、ｂ…第２折目線(第１折れ線)、ｃ…第１ミシン目線（第２折れ線）、ｋ…第１０折目線（第３折れ線）、ｌ…第２ミシン目線（第４折れ線）、Ｗ…物品。
【図１】
0005468462.tif 000002
【図２】
0005468462.tif 000003
【図３】
0005468462.tif 000004
【図４】
0005468462.tif 000005
【図５】
0005468462.tif 000006
【図６】
0005468462.tif 000007